(57)【要約】【課題】紙幣処理装置の機能を拡張させる。【解決手段】第１収納部３０は、紙幣束Ｂを収納するように構成される。搬送部４０は、出金口２１と第１収納部３０とを接続する搬送路４１を有し、搬送路４１に沿って紙幣束Ｂを搬送するように構成される。識別部５０は、紙幣束Ｂに関する紙幣束情報を取得するように構成されて搬送路４１に配置される。第２収納部６０は、紙幣束Ｂを収納するように構成されて搬送路４１のうち出金口２１と識別部５０との間の搬送区間において搬送部４０と紙幣束Ｂの受け渡しを行う。制御部７０は、搬送部４０による紙幣束Ｂの搬送を制御するように構成されている。【選択図】図２
2018045677.tif 000002
【特許請求の範囲】
【請求項１】
出金口を有する紙幣処理装置であって、
紙幣束を収納するように構成された第１収納部と、
前記出金口と前記第１収納部とを接続する搬送路を有し、該搬送路に沿って前記紙幣束を搬送するように構成された搬送部と、
前記紙幣束に関する紙幣束情報を取得するように構成されて前記搬送路に配置される識別部と、
前記紙幣束を収納するように構成されて前記搬送路のうち前記出金口と前記識別部との間の搬送区間において前記搬送部と該紙幣束の受け渡しを行う第２収納部と、
前記搬送部による前記紙幣束の搬送を制御するように構成された制御部とを備えている
ことを特徴とする紙幣処理装置。
【請求項２】
請求項１において、
前記制御部は、前記紙幣束を払い出す出金処理において、前記第１収納部に収納された紙幣束が前記識別部を通過して前記出金口または前記第２収納部に搬送されるように前記搬送部を制御する
ことを特徴とする紙幣処理装置。
【請求項３】
請求項２において、
前記制御部は、前記出金処理において、出金すべきではない紙幣束が前記第２収納部に搬送されるように前記搬送部を制御する
ことを特徴とする紙幣処理装置。
【請求項４】
請求項２または３において、
前記制御部は、前記出金処理において前記識別部によって取得された前記紙幣束の紙幣束情報と該紙幣束を出金した顧客の顧客情報とを対応付けて記憶するように構成されている
ことを特徴とする紙幣処理装置。
【請求項５】
請求項１〜４のいずれか１項において、
前記制御部は、前記第１収納部から前記紙幣束を回収する回収処理において、該第１収納部に収納された紙幣束が前記識別部を通過して前記第２収納部に搬送されるように前記搬送部を制御する
ことを特徴とする紙幣処理装置。
【請求項６】
請求項５において、
前記第２収納部には、固有のＩＤが割り当てられており、
前記制御部は、前記回収処理において前記識別部によって取得された前記紙幣束の紙幣束情報と該紙幣束を搬送した前記第２収納部に割り当てられたＩＤとを対応付けて記憶するように構成されている
ことを特徴とする紙幣処理装置。
【請求項７】
請求項１〜６のいずれか１項において、
前記制御部は、前記第１収納部に前記紙幣束を補充する補充処理において、前記第２収納部に収納された紙幣束が前記識別部を通過して前記第１収納部に搬送されるように前記搬送部を制御する
ことを特徴とする紙幣処理装置。
【請求項８】
請求項７において、
前記第１収納部には、固有のＩＤが割り当てられており、
前記制御部は、前記補充処理において前記識別部によって取得された前記紙幣束の紙幣束情報と該紙幣束を搬送した前記第１収納部に割り当てられたＩＤとを対応付けて記憶するように構成されている
ことを特徴とする紙幣処理装置。
【請求項９】
請求項１〜８のいずれか１項において、
前記制御部は、前記第１収納部に収納された紙幣束を精査する精査処理において、該第１収納部に収納された紙幣束が前記識別部を通過して前記第２収納部に搬送された後に、該第２収納部に収納された紙幣束が該識別部を通過して該第１収納部に搬送されるように前記搬送部を制御する
ことを特徴とする紙幣処理装置。
【請求項１０】
請求項９において、
前記第１収納部には、固有のＩＤが割り当てられており、
前記制御部は、前記精査処理において前記識別部によって取得された前記紙幣束の紙幣束情報と該紙幣束を搬送した前記第１収納部に割り当てられたＩＤとを対応付けて記憶するように構成されている
ことを特徴とする紙幣処理装置。
【請求項１１】
請求項１〜１０のいずれか１項において、
前記制御部は、前記出金口から前記第１収納部または前記第２収納部に前記紙幣束を補充する出金口補充処理において、該出金口に投入された紙幣束が前記識別部を通過して該第１収納部または該第２収納部に搬送されるように前記搬送部を制御する
ことを特徴とする紙幣処理装置。
【請求項１２】
請求項１１において、
前記第１収納部または前記第２収納部には、固有のＩＤが割り当てられており、
前記制御部は、前記出金口補充処理において前記識別部によって取得された前記紙幣束の紙幣束情報と該紙幣束を搬送した前記第１収納部または前記第２収納部に割り当てられたＩＤとを対応付けて記憶するように構成されている
ことを特徴とする紙幣処理装置。
【請求項１３】
請求項１〜１２のいずれか１項において、
前記紙幣束は、複数の紙幣と、該複数の紙幣を結束する結束帯とを有し、
前記紙幣束の結束帯には、該紙幣束を管理するための管理情報が読み取り可能に付されており、
前記識別部は、前記紙幣束の結束帯に付された管理情報を読み取るように構成され、
前記紙幣束情報は、前記識別部によって取得された管理情報を含んでいる
ことを特徴とする紙幣処理装置。
【請求項１４】
請求項１３において、
前記管理情報は、前記紙幣束を構成する複数の紙幣の記番号に関する紙幣記番号情報を含んでいる
ことを特徴とする紙幣処理装置。
【請求項１５】
請求項１〜１４のいずれか１項において、
前記識別部は、前記紙幣束の上面を構成する紙幣および該紙幣束の下面を構成する紙幣のうち少なくとも一方の紙幣に関する紙幣情報を取得するように構成され、
前記紙幣束情報は、前記識別部によって取得された紙幣情報を含んでいる
ことを特徴とする紙幣処理装置。
【請求項１６】
請求項１５において、
前記紙幣情報は、前記紙幣束に含まれる紙幣の記番号に関する情報を含んでいる
ことを特徴とする紙幣処理装置。
【請求項１７】
請求項１〜１６のいずれか１項において、
前記第２収納部は、当該紙幣処理装置に着脱可能に構成されている
ことを特徴とする紙幣処理装置。
【請求項１８】
請求項１〜１７のいずれか１項において、
前記第１収納部は、当該紙幣処理装置に着脱可能に構成されている
ことを特徴とする紙幣処理装置。
【請求項１９】
請求項１〜１８のいずれか１項において、
前記第２収納部は、前記第１収納部と共通の構成を有している
ことを特徴とする紙幣処理装置。
【請求項２０】
請求項１〜１９のいずれか１項において、
前記出金口の近傍に設けられて該出金口から払い出される紙幣束が載置されるように構成された出金口ステージを備えている
ことを特徴とする紙幣処理装置。
【発明の詳細な説明】
【技術分野】
【０００１】
ここに開示する技術は、紙幣処理装置に関する。
【背景技術】
【０００２】
従来、紙幣束を処理する紙幣処理装置が知られている。例えば、特許文献１には、紙幣束を処理するための束紙幣処理部と、束紙幣処理部を制御する制御手段とを備えた紙幣処理装置が開示されている。束紙幣処理部は、当該束紙幣処理部に対して出し入れされる紙幣束を略垂直方向に移動させるための昇降手段が設けられた紙幣束昇降通路と、紙幣束を収納する紙幣束収納部と、昇降通路と紙幣束収納部との間で紙幣束を略水平方向に移動させる搬送手段と、搬送手段によって移動される紙幣束の金種を識別する識別手段とを有している。制御手段は、紙幣束を搬送手段によって紙幣束収納部から昇降通路へ移動させた後、昇降通路から紙幣束収納部へ戻すと共に、その間に識別手段の識別結果に基づく紙幣束の精査処理を行うように構成されている。
【先行技術文献】
【特許文献】
【０００３】
【特許文献１】特開２００３−１４１５９９号公報
【発明の概要】
【発明が解決しようとする課題】
【０００４】
特許文献１の紙幣処理装置では、出金口と識別部との間の搬送路（昇降通路）に紙幣束を一時的に保留させると、出金口と識別部との間において紙幣束を搬送させることができなくなる。このように、特許文献１の紙幣処理装置では、搬送路（特に出金口と識別部との間の搬送路）における紙幣束の搬送の自由度が制限されているので、紙幣処理装置の機能を拡張させることが困難である。
【０００５】
例えば、特許文献１の紙幣処理装置において出金処理（紙幣束を払い出す処理）が行われる場合、紙幣束収納部に収納された紙幣束が識別部と昇降通路とを順に通過して出金口に搬送されることになる。ここで、識別部を通過した紙幣束が出金すべきではない紙幣束（出金リジェクト紙幣束）に該当する場合、識別部を通過した出金リジェクト紙幣束を昇降通路に一時的に保留させることによって出金リジェクト紙幣束を出金口から払い出さないようにすることが考えられる。しかしながら、出金リジェクト紙幣束を昇降通路に一時的に保留させると、識別部から出金口へ向けて紙幣束を搬送させることができなくなり、その結果、出金口から紙幣束を払い出すことができなくなる。このように、特許文献１の紙幣処理装置では、出金処理において出金リジェクト紙幣束の払い出しを禁止しつつ紙幣束の払い出しを継続させるという機能を実現することができない。
【０００６】
そこで、ここに開示する技術は、機能を拡張させることが可能な紙幣処理装置を提供することを目的とする。
【課題を解決するための手段】
【０００７】
ここに開示する技術は、出金口を有する紙幣処理装置に関し、この紙幣処理装置は、紙幣束を収納するように構成された第１収納部と、前記出金口と前記第１収納部とを接続する搬送路を有し、該搬送路に沿って前記紙幣束を搬送するように構成された搬送部と、前記紙幣束に関する紙幣束情報を取得するように構成されて前記搬送路に配置される識別部と、前記紙幣束を収納するように構成されて前記搬送路のうち前記出金口と前記識別部との間の搬送区間において前記搬送部と該紙幣束の受け渡しを行う第２収納部と、前記搬送部による前記紙幣束の搬送を制御するように構成された制御部とを備えている。
【０００８】
前記の構成では、第２収納部を設けることにより、第２収納部に紙幣束を収納させつつ出金口と識別部との間において紙幣束を搬送させることができる。これにより、搬送路（特に出金口と識別部との間の搬送路）における紙幣束の搬送の自由度を向上させることができる。その結果、紙幣処理装置の機能を拡張させることができる。
【０００９】
例えば、前記の構成では、紙幣処理装置から紙幣束を払い出す出金処理において第１収納部から識別部を通過して出金口に紙幣束を搬送することができる。そして、識別部を通過した紙幣束が出金すべきではない紙幣束（出金リジェクト紙幣束）に該当する場合に、識別部を通過した出金リジェクト紙幣束を第２収納部に収納することができる。なお、前記の構成では、第２収納部に紙幣束を収納させつつ出金口と識別部との間において紙幣束を搬送させることができる。したがって、出金処理において出金リジェクト紙幣束の払い出しを禁止しつつ紙幣束の払い出しを継続させるという機能を実現することができる。
【００１０】
また、前記制御部は、前記紙幣束を払い出す出金処理において、前記第１収納部に収納された紙幣束が前記識別部を通過して前記出金口または前記第２収納部に搬送されるように前記搬送部を制御するように構成されていてもよい。
【００１１】
前記の構成では、出金処理において、第１収納部に収納された紙幣束が識別部を通過して出金口または第２収納部に搬送されることにより、識別部において出金口または第２収納部に搬送される紙幣束の紙幣束情報を取得することができる。これにより、出金処理において出金口に搬送されて出金口から払い出される紙幣束を管理することができるとともに、出金処理において第２収納部に搬送されて出金口から払い出されない紙幣束を管理することができる。
【００１２】
また、前記制御部は、前記出金処理において、出金すべきではない紙幣束が前記第２収納部に搬送されるように前記搬送部を制御するように構成されていてもよい。
【００１３】
前記の構成では、識別部を通過した出金リジェクト紙幣束を第２収納部に収納することができる。これにより、出金処理において出金リジェクト紙幣束の払い出しを禁止しつつ紙幣束の払い出しを継続させるという機能を実現することができる。
【００１４】
また、前記制御部は、前記出金処理において前記識別部によって取得された前記紙幣束の紙幣束情報と該紙幣束を出金した顧客の顧客情報とを対応付けて記憶するように構成されていてもよい。
【００１５】
前記の構成では、出金処理において払い出された紙幣束とその紙幣束を出金した顧客とを紐付けることができる。これにより、出金処理においてどの顧客にどのような紙幣束を払い出したのかを管理することができる。
【００１６】
また、前記制御部は、前記第１収納部から前記紙幣束を回収する回収処理において、該第１収納部に収納された紙幣束が前記識別部を通過して前記第２収納部に搬送されるように前記搬送部を制御するように構成されていてもよい。
【００１７】
前記の構成では、回収処理において、第１収納部に収納された紙幣束が識別部を通過して第２収納部に搬送されることにより、識別部において第２収納部に搬送される紙幣束の紙幣束情報を取得することができる。これにより、回収処理において第２収納部に搬送されて第２収納部に回収される紙幣束を管理することができる。
【００１８】
また、前記第２収納部には、固有のＩＤが割り当てられていてもよい。そして、前記制御部は、前記回収処理において前記識別部によって取得された前記紙幣束の紙幣束情報と該紙幣束を搬送した前記第２収納部に割り当てられたＩＤとを対応付けて記憶するように構成されていてもよい。
【００１９】
前記の構成では、回収処理において回収された紙幣束とその紙幣束を収納する第２収納部とを紐付けることができる。これにより、回収処理においてどの第２収納部にどのような紙幣束が回収されたのかを管理することができる。
【００２０】
また、前記制御部は、前記第１収納部に前記紙幣束を補充する補充処理において、前記第２収納部に収納された紙幣束が前記識別部を通過して前記第１収納部に搬送されるように前記搬送部を制御するように構成されていてもよい。
【００２１】
前記の構成では、補充処理において、第２収納部に収納された紙幣束が識別部を通過して第１収納部に搬送されることにより、識別部において第１収納部に搬送される紙幣束の紙幣束情報を取得することができる。これにより、補充処理において第１収納部に搬送されて第１収納部に補充された紙幣束を管理することができる。
【００２２】
また、前記第１収納部には、固有のＩＤが割り当てられていてもよい。そして、前記制御部は、前記補充処理において前記識別部によって取得された前記紙幣束の紙幣束情報と該紙幣束を搬送した前記第１収納部に割り当てられたＩＤとを対応付けて記憶するように構成されていてもよい。
【００２３】
前記の構成では、補充処理において補充された紙幣束とその紙幣束を収納する第１収納部とを紐付けることができる。これにより、補充処理においてどの第１収納部にどのような紙幣束が補充されたのかを管理することができる。
【００２４】
また、前記制御部は、前記第１収納部に収納された紙幣束を精査する精査処理において、該第１収納部に収納された紙幣束が前記識別部を通過して前記第２収納部に搬送された後に、該第２収納部に収納された紙幣束が該識別部を通過して該第１収納部に搬送されるように前記搬送部を制御するように構成されていてもよい。
【００２５】
前記の構成では、精査処理において、第１収納部に収納された紙幣束が識別部を通過して第２収納部に搬送された後に、第２収納部に収納された紙幣束が識別部を通過して第１収納部に搬送されることにより、識別部において第１収納部に搬送される紙幣束（精査済みの紙幣束）の紙幣束情報を取得することができる。これにより、精査処理において第１収納部に収納された紙幣束（精査済みの紙幣束）を管理することができる。
【００２６】
また、前記第１収納部には、固有のＩＤが割り当てられていてもよい。そして、前記制御部は、前記精査処理において前記識別部によって取得された前記紙幣束の紙幣束情報と該紙幣束を搬送した前記第１収納部に割り当てられたＩＤとを対応付けて記憶するように構成されていてもよい。
【００２７】
前記の構成では、精査処理において精査された紙幣束とその紙幣束を収納する第１収納部とを紐付けることができる。これにより、どの第１収納部にどのような紙幣束（精査済みの紙幣束）が収納されているのかを管理することができる。
【００２８】
また、前記制御部は、前記出金口から前記第１収納部または前記第２収納部に前記紙幣束を補充する出金口補充処理において、該出金口に投入された紙幣束が前記識別部を通過して該第１収納部または該第２収納部に搬送されるように前記搬送部を制御するように構成されていてもよい。
【００２９】
前記の構成では、出金口補充処理において、出金口に投入された紙幣束が識別部を通過して第１収納部または第２収納部に搬送されることにより、識別部において第１収納部または第２収納部に搬送される紙幣束の紙幣束情報を取得することができる。これにより、出金口補充処理において第１収納部または第２収納部に搬送されて第２収納部に補充された紙幣束を管理することができる。
【００３０】
また、前記第１収納部または前記第２収納部には、固有のＩＤが割り当てられていてもよい。そして、前記制御部は、前記出金口補充処理において前記識別部によって取得された前記紙幣束の紙幣束情報と該紙幣束を搬送した前記第１収納部または前記第２収納部に割り当てられたＩＤとを対応付けて記憶するように構成されていてもよい。
【００３１】
前記の構成では、出金口補充処理において補充された紙幣束とその紙幣束を収納する第２収納部とを紐付けることができる。これにより、出金口補充処理においてどの第１収納部（または第２収納部）にどのような紙幣束が補充されたのかを管理することができる。
【００３２】
また、前記紙幣束は、複数の紙幣と、該複数の紙幣を結束する結束帯とを有していてもよい。前記紙幣束の結束帯には、該紙幣束を管理するための管理情報が読み取り可能に付されていてもよい。そして、前記識別部は、前記紙幣束の結束帯に付された管理情報を読み取るように構成されていてもよい。前記紙幣束情報は、前記識別部によって取得された管理情報を含んでいてもよい。
【００３３】
前記の構成では、紙幣束の結束帯に付された管理情報を読み取ることにより、管理情報に基づいて紙幣束を管理することができる。
【００３４】
また、前記管理情報は、前記紙幣束を構成する複数の紙幣の記番号に関する紙幣記番号情報を含んでいてもよい。
【００３５】
前記の構成では、紙幣束を構成する複数の紙幣の記番号に基づいて紙幣束を紙幣単位で管理することができる。
【００３６】
また、前記識別部は、前記紙幣束の上面を構成する紙幣および該紙幣束の下面を構成する紙幣のうち少なくとも一方の紙幣に関する紙幣情報を取得するように構成されていてもよい。前記紙幣束情報は、前記識別部によって取得された紙幣情報を含んでいてもよい。
【００３７】
また、前記紙幣情報は、該紙幣束に含まれる紙幣の記番号に関する情報を含んでいてもよい。
【００３８】
前記の構成では、紙幣束に含まれる紙幣の記番号に基づいて紙幣束を紙幣束単位で管理することができる。すなわち、紙幣束に含まれる紙幣の記番号を紙幣束の固有の管理番号として用いることで紙幣束を紙幣束単位で管理することができる。
【００３９】
また、前記第２収納部は、当該紙幣処理装置に着脱可能に構成されていてもよい。
【００４０】
前記の構成では、第２収納部を紙幣処理装置から取り外すことにより、第２収納部に収納されている紙幣束を回収することができる。また、紙幣束を収納している第２収納部を紙幣処理装置に装着することにより、紙幣処理装置に紙幣束を補充することができる。
【００４１】
また、前記第１収納部は、当該紙幣処理装置に着脱可能に構成されていてもよい。
【００４２】
前記の構成では、第１収納部を紙幣処理装置から取り外すことにより、第１収納部に収納されている紙幣束を回収することができる。また、紙幣束を収納している第１収納部を紙幣処理装置に装着することにより、紙幣処理装置に紙幣束を補充することができる。
【００４３】
また、前記第２収納部は、前記第１収納部と共通の構成を有していてもよい。
【００４４】
前記の構成では、第２収納部の構成を第１収納部の構成と共通化することにより、第２収納部の製造コストを低減することができる。
【００４５】
また、前記紙幣処理装置は、前記出金口の近傍に設けられて該出金口から払い出される紙幣束が載置されるように構成された出金口ステージを備えていてもよい。
【発明の効果】
【００４６】
以上のように、搬送路（特に出金口と識別部との間の搬送路）における紙幣束の搬送の自由度を向上させることができるので、紙幣処理装置の機能を拡張させることができる。
【図面の簡単な説明】
【００４７】
【図１】紙幣処理システムの外観を例示する概略斜視図である。
【図２】紙幣処理装置の構成を例示する概略縦断面図である。
【図３】収納部が搬送部から紙幣束を受け取る動作について説明するための概略部分平面図である。
【図４】収納部が搬送部から紙幣束を受け取る動作について説明するための概略部分縦断面図である。
【図５】収納部が搬送部に紙幣束を引き渡す動作について説明するための概略部分平面図である。
【図６】収納部が搬送部に紙幣束を引き渡す動作について説明するための概略部分縦断面図である。
【図７】出金処理について説明するための概略縦断面図である。
【図８】回収処理について説明するための概略縦断面図である。
【図９】補充処理について説明するための概略縦断面図である。
【図１０】精査処理について説明するための概略縦断面図である。
【図１１】紙幣処理装置の変形例１について説明するための概略縦断面図である。
【図１２】出金口補充処理について説明するための概略縦断面図である。
【図１３】管理コードについて説明するための概略平面図である。
【図１４】紙幣処理装置の変形例３における制御部および識別部の動作について説明するためのフローチャートである。
【図１５】紙幣処理装置の変形例３における紙幣束の流れを例示する概略縦断面図である。
【発明を実施するための形態】
【００４８】
以下、実施の形態を図面を参照して詳しく説明する。なお、図中同一または相当部分には同一の符号を付しその説明は繰り返さない。
【００４９】
（紙幣処理システム）
図１は、実施形態による紙幣処理システムの外観を例示している。この紙幣処理システムは、紙幣束を処理するものであり、情報端末１００と、紙幣処理装置１０とを備えている。なお、紙幣束は、複数の紙幣と、複数の紙幣を結束する結束帯とによって構成されている。
【００５０】
〔情報端末〕
情報端末１００は、端末制御部２００と、操作部２０１と、読取部２０２と、記憶部２０３と、表示部２０４と、発行部２０５とを備えている。操作部２０１は、情報端末１００の操作者による操作に応じて情報を入力するように構成されている。この例では、操作部２０１は、複数の操作ボタンを有している。読取部２０２は、キャッシュカードなどの各種カードから情報を読み取るように構成されている。記憶部２０３は、情報を記憶するように構成されている。表示部２０４は、情報を表示するように構成されている。発行部２０５は、紙幣処理装置１０における紙幣束の処理（例えば出金処理や精査処理など）の履歴に関する情報が印字されたレシートを発行するように構成されている。端末制御部２００は、情報端末１００の各部（この例では、操作部２０１，読取部２０２，記憶部２０３，表示部２０４，発行部２０５）および紙幣処理装置１０と通信可能に接続され、情報端末１００の各部を制御するように構成されている。例えば、端末制御部２００は、ＣＰＵなどの演算処理部と、演算処理部を動作させるためのプログラムや情報を記憶するメモリなどの記憶部とによって構成されている。
【００５１】
〔紙幣処理装置〕
図２は、紙幣処理装置１０の構成を例示している。この紙幣処理装置１０は、筐体２０と、１つまたは複数（この例では５つ）の第１収納部３０と、搬送部４０と、識別部５０と、１つまたは複数（この例では１つ）の第２収納部６０と、制御部７０を備えている。
【００５２】
〈筐体〉
筐体２０は、略直方体型の箱状に形成され、その内部に第１収納部３０と搬送部４０と識別部５０と第２収納部６０と制御部７０とを収容している。また、筐体２０には、出金口２１が設けられている。この例では、出金口２１は、筐体２０の正面中央上部に設けられて開閉シャッタで覆われている。また、出金口２１の近傍には、出金口ステージ２２が設けられている。出金口ステージ２２は、出金口２１から払い出される紙幣束Ｂが載置されるように構成されている。また、出金口ステージ２２は、上下方向に昇降可能に構成されている。なお、出金口ステージ２２は、昇降機構（図示を省略）によって上下方向に昇降される。
【００５３】
〈第１収納部〉
第１収納部３０は、紙幣束Ｂを収納するように構成されている。また、この例では、第１収納部３０は、紙幣処理装置１０に着脱可能に構成されている。具体的には、第１収納部３０は、上面が開口する直方体型の箱状に形成された収納カセットによって構成され、紙幣処理装置１０に抜き差し可能となっている。
【００５４】
また、第１収納部３０には、昇降ステージ３１と、昇降機構３２とが設けられている。昇降ステージ３１は、紙幣束Ｂが載置されるように構成されている。また、昇降ステージ３１は、上下方向に昇降可能に構成されている。昇降機構３２は、昇降ステージ３１を上下方向に昇降させるように構成されている。
【００５５】
〈搬送部〉
搬送部４０は、出金口２１と第１収納部３０とを接続する搬送路４１を有し、搬送路４１に沿って紙幣束Ｂを搬送するように構成されている。具体的には、搬送部４０は、搬送路４１の他に、搬送路４１を駆動させるための駆動機構などを有している。
【００５６】
〈識別部〉
識別部５０は、紙幣束Ｂに関する情報（紙幣束情報）を取得するように構成されて搬送路４１に配置されている。この例では、紙幣束情報は、紙幣束Ｂに含まれる紙幣に関する情報（紙幣情報）を含んでいる。具体的には、識別部５０は、紙幣束Ｂの上面を構成する紙幣および紙幣束Ｂの下面を構成する紙幣のうち少なくとも一方の紙幣（この例では紙幣束Ｂの下面を構成する紙幣）に対して所定の処理を行い、その紙幣に関する情報（紙幣情報）を取得するように構成されている。紙幣束情報は、識別部５０（具体的には識別部５０の紙幣に対する所定の処理）によって取得された紙幣情報を含んでいる。例えば、識別部５０は、ラインセンサ，磁気センサ，画像センサなどの各種センサと、ＣＰＵなどの演算処理部と、演算処理部を動作させるためのプログラムや情報を記憶するメモリなどの記憶部とによって構成されている。
【００５７】
この例では、紙幣情報は、紙幣束Ｂに含まれる紙幣（この例では紙幣束Ｂの下面を構成する紙幣）に対して行われた識別処理の結果を含んでいる。識別処理では、金種識別，真偽識別，正損識別などが行われる。金種識別では、紙幣束Ｂに含まれる紙幣の通貨単位や金額などが識別される。真偽識別では、紙幣束Ｂに含まれる紙幣が真券に該当するのか偽券に該当するのかが識別される。正損識別では、紙幣束Ｂに含まれる紙幣が正券に該当するのか損券に該当するのかが識別される。具体的には、識別部Ｂは、紙幣束Ｂの上面を構成する紙幣および紙幣束Ｂの下面を構成する紙幣のうち少なくとも一方の紙幣（この例では紙幣束Ｂの下面を構成する紙幣）に識別処理を行うように構成されている。紙幣情報は、識別部５０（具体的には識別部５０の識別処理）によって取得された識別処理の結果を含んでいる。
【００５８】
また、この例では、紙幣束情報は、紙幣束Ｂに対して行われた搬送状態識別処理の結果を含んでいる。搬送状態識別処理では、紙幣束Ｂの搬送状態が正常であるのか異常であるのかが識別される。具体的には、識別部５０は、紙幣束Ｂに対して搬送状態識別処理を行うように構成されている。紙幣束情報は、識別部５０（具体的には識別部５０の搬送状態識別処理）によって取得された搬送状態識別処理の結果を含んでいる。
【００５９】
なお、紙幣情報は、紙幣束Ｂに含まれる紙幣（この例では紙幣束Ｂの下面を構成する紙幣）に対して行われた撮像処理の結果を含んでいてもよい。撮像処理では、紙幣束Ｂに含まれる紙幣が撮像されてその紙幣の一部または全部を示す撮像画像が取得される。具体的には、識別部５０は、紙幣束Ｂの上面を構成する紙幣および紙幣束Ｂの下面を構成する紙幣のうち少なくとも一方の紙幣（この例では紙幣束Ｂの下面を構成する紙幣）に撮像処理を行うように構成されていてもよい。紙幣情報は、識別部５０（具体的には識別部５０の撮像処理）によって取得された撮像処理の結果（すなわち紙幣の撮像画像）を含んでいてもよい。
【００６０】
また、紙幣情報は、紙幣束Ｂに含まれる紙幣（この例では紙幣束Ｂの下面を構成する紙幣）に対して行われた記番号読取処理の結果を含んでいてもよい。記番号読取処理では、撮像処理によって取得された紙幣の撮像画像（紙幣束Ｂに含まれる紙幣）から紙幣の記番号が読み取られる。具体的には、識別部５０は、撮像処理によって取得された紙幣の撮像画像（この例では紙幣束Ｂの下面を構成する紙幣の撮像画像）に対して記番号読取処理を行うように構成されていてもよい。紙幣情報は、識別部５０（具体的には識別部５０の記番号読取処理）によって取得された記番号読取処理の結果（すなわち紙幣の記番号）を含んでいてもよい。
【００６１】
また、この例では、紙幣束情報は、紙幣束Ｂの計数結果を含んでいる。具体的には、識別部５０は、識別部５０を通過する紙幣束を計数するように構成されている。紙幣束情報は、識別部５０によって取得された紙幣束Ｂの計数結果（すなわち紙幣束Ｂの数量）を含んでいる。なお、紙幣束Ｂの計数は、紙幣束Ｂの種類別（例えば金種別）に行われてもよい。
【００６２】
〈第２収納部〉
第２収納部６０は、紙幣束Ｂを収納するように構成されている。そして、第２収納部６０は、搬送路４１のうち出金口２１と識別部５０との間の搬送区間において搬送部４０と紙幣束Ｂの受け渡しを行う。また、この例では、第２収納部６０は、紙幣処理装置１０に着脱可能に構成されている。具体的には、第１収納部３０と同様に、第２収納部６０は、上面が開口する直方体型の箱状に形成された収納カセットによって構成され、紙幣処理装置１０に抜き差し可能となっている。
【００６３】
また、第１収納部３０と同様に、第２収納部６０には、昇降ステージ６１と、昇降機構６２とが設けられている。昇降ステージ６１は、紙幣束Ｂが載置されるように構成されている。また、昇降ステージ６１は、上下方向に昇降可能に構成されている。昇降機構６２は、昇降ステージ６１を上下方向に昇降させるように構成されている。
【００６４】
また、この例では、第２収納部６０は、第１収納部３０と共通の構成を有している。具体的には、第１収納部３０および第２収納部６０は、共通の収納カセットによって構成されている。
【００６５】
〈第１収納部と搬送路と識別部と第２収納部の配置〉
ここで、第１収納部３０と搬送路４１と識別部５０と第２収納部６０の配置について説明する。この例では、出金口２１から筐体２０の背面に向かう方向（図２では左右方向）に沿うように、第２収納部６０および第１収納部３０（この例では１つの第２収納部６０と５つの収納部３０）が一列に配置されている。なお、第２収納部６０は、出金口２１と第１収納部３０との間に配置されている。そして、識別部５０は、搬送路４１のうち第１収納部３０と第２収納部６０との境界部に対応する搬送区間に配置されている。
【００６６】
また、この例では、搬送路４１は、第２収納部６０および第１収納部３０（詳しくは第２収納部６０の上面と第１収納部３０の上面）に沿うように出金口２１から筐体２０の背面へ向けて水平方向に延伸している。なお、第１収納部３０は、搬送路４１のうち第１収納部３０（具体的には第１収納部３０の上面）と対向する搬送区間において搬送部４０と紙幣束Ｂの受け渡しを行う。第２収納部６０は、搬送路４１のうち第２収納部６０（具体的には第２収納部６０の上面）と対向する搬送区間（すなわち出金口２１と識別部５０との間の搬送区間）において搬送部４０と紙幣束Ｂの受け渡しを行う。
【００６７】
〈搬送路の詳細〉
次に、搬送路４１について詳しく説明する。搬送路４１は、一対の搬送ベルト４２と、一対のプーリ４３と、複数のピン４４と、第１収納部３０および第２収納部６０と同数（この例では６つ）の開閉板４５と、複数（この例では５つ）の仕切板４６とによって構成されている。
【００６８】
一対の搬送ベルト４２は、第１収納部３０の上方および第２収納部６０の上方を通過するように出金口２１から筐体２０の背面まで水平に延伸している。一対のプーリ４３は、一方のプーリ４３が出金口２１の近傍に配置され、他方のプーリ４３が筐体２０の背面の近傍に配置されている。そして、一対のプーリ４３に一対の搬送ベルト４２が掛け渡されている。複数のピン４４は、一対の搬送ベルト４２の延伸方向において所定の間隔をおいて配置されるように一対の搬送ベルト４２の外周面に突設されている。６つの開閉板４５は、一対の搬送ベルト４２と５つの第１収納部３０および１つの第２収納部６０との間にそれぞれ設けられている。５つの仕切板４６は、６つの開閉板４５の間にそれぞれ設けられている。また、互いに隣接する第１収納部３０（図２では最も左側に位置する第１収納部３０）および第２収納部６０にそれぞれ対応する２つの開閉板４５の間に設けられた仕切板４６の上端部には、識別部５０が配置されている。
【００６９】
図３に示すように、一対の搬送ベルト４２は、互いに離間して延伸するように配置されている。開閉板４５は、紙幣束Ｂを通過させる開状態（図３の二点鎖線で示した状態）と紙幣束Ｂを通過させない閉状態（図３の実線で示した状態）とに切り換え可能に構成されている。また、仕切板４６の上端面には、紙幣束Ｂの通過を検知するように構成された通過センサ４７が設けられている。
【００７０】
以上のような構成により、一対の搬送ベルト４２と複数の開閉板４５との間に搬送路４１が構成されている。そして、搬送路４１では、搬送ベルト４２に突設されたピン４４によって紙幣束Ｂに搬送力（搬送ベルト４２の搬送力）が加えられ、その紙幣束Ｂが閉状態の開閉板４５の上面を摺動しながら搬送される。
【００７１】
また、図２に示すように、一対の搬送ベルト４２の間には、複数の開閉板４５と同数（この例では６つ）の押圧検知板４８が設けられている。６つの押圧検知板４８は、６つの開閉板４５とそれぞれ対向するように配置されている。押圧検知板４８は、上下方向に移動可能に構成されている。押圧検知板４８の機能については、後で説明する。
【００７２】
〈紙幣束受取動作〉
次に、図３および図４を参照して、収納部（第１収納部３０または第２収納部６０）が搬送部４０から紙幣束Ｂを受け取る動作について説明する。図３および図４では、第２収納部６０に隣接する第１収納部３０が搬送部４０から紙幣束Ｂを受け取る場合を例に挙げている。
【００７３】
まず、搬送部４０は、第１収納部３０に対応する開閉板４５（閉状態の開閉板４５）に紙幣束Ｂが載置されるように紙幣束Ｂを搬送する。一方、第１収納部３０では、紙幣束Ｂを受け取ることができる高さまで昇降ステージ３１が上昇する。そして、紙幣束Ｂが載置された開閉板４５が閉状態から開状態となり、開閉板４５に載置されていた紙幣束Ｂが第１収納部３０内に落下して昇降ステージ３１に載置される。このようにして、第１収納部３０は、搬送部４０から紙幣束Ｂを受け取る。次に、紙幣束Ｂが載置された昇降ステージ３１が所定位置まで降下し、開閉板４５が開状態から閉状態となる。これにより、紙幣束Ｂの収納が完了する。
【００７４】
〈紙幣引渡動作〉
次に、図５および図６を参照して、収納部（第１収納部３０または第２収納部６０）が搬送部４０に紙幣束Ｂを引き渡す動作について説明する。図５および図６では、第２収納部６０に隣接する第１収納部３０が搬送部４０に紙幣束Ｂを引き渡す場合を例に挙げている。
【００７５】
まず、第１収納部３０に対応する開閉板４５が閉状態から開状態となり、第１収納部３０において昇降ステージ３１が上昇する。また、開閉板４５の閉状態から開状態への切り換えに連動して押圧検知板４８が降下する。これにより、昇降ステージ３１の上昇高さを規制することができる。具体的には、上昇中の昇降ステージ３１に載置された紙幣束Ｂ（複数の紙幣束Ｂが載置されている場合は最上部の紙幣束、以下同様）によって押圧検知板４８が押し上げられると、押圧検知板４８は、昇降ステージ３１の上昇を停止させる。このとき、昇降ステージ３１に載置された紙幣束Ｂは、開閉板４５よりも上方に位置している。このようにして、第１収納部３０は、搬送部４０に紙幣束Ｂを引き渡す。次に、搬送ベルト４２が駆動し、搬送ベルト４２に突設されたピン４４に昇降ステージ３１に載置された紙幣束Ｂが当接する。これにより、紙幣束Ｂが搬送路４１に沿って搬送される。
【００７６】
〈制御部〉
図２に示すように、紙幣処理装置１０は、制御部７０を備えている。制御部７０は、紙幣処理装置１０の各部（この例では、第１収納部３０，搬送部４０，識別部５０，第２収納部６０）および情報端末１００（具体的には、端末制御部２００）と通信可能に接続され、紙幣処理装置１０の各部を制御するように構成されている。具体的には、制御部７０は、紙幣処理装置１０において各種処理（出金処理，回収処理，補充処理，精査処理など）が行われるように、搬送部４０による紙幣束Ｂの搬送を制御する。例えば、制御部７０は、ＣＰＵなどの演算処理部と、演算処理部を動作させるためのプログラムや情報を記憶するメモリなどの記憶部とによって構成されている。
【００７７】
なお、紙幣処理装置１０の各部には、紙幣束の通過を検出する通過センサなどの各種センサが設けられており、これらの各種センサの検出信号は、制御部７０に送信される。そして、制御部７０は、紙幣処理装置１０において各種処理が行われるように、紙幣処理装置１０の各部および情報端末１００から受信した信号や情報に基づいて紙幣処理装置１０の各部を制御する。具体的には、制御部７０は、搬送部４０の搬送ベルト４２と開閉板４５と押圧検知板４８を制御するとともに、出金口ステージ２２や第１収納部３０の昇降ステージ３１や識別部５０や第２収納部６０の昇降ステージ６１などを制御する。
【００７８】
また、第１収納部３０および第２収納部６０には、それぞれ固有のＩＤが割り当てられている。そして、制御部７０は、第１収納部３０および第２収納部６０にそれぞれ割り当てられたＩＤを記憶している。
【００７９】
〔出金処理〕
次に、図７を参照して、紙幣処理装置１０の出金処理について説明する。出金処理は、紙幣処理装置１０から紙幣束Ｂを払い出す処理のことである。制御部７０は、出金処理において、第１収納部３０に収納された紙幣束Ｂが識別部５０を通過して出金口２１または第２収納部６０に搬送されるように搬送部４０を制御する。識別部５０は、出金処理において識別部５０を通過する紙幣束Ｂの紙幣束情報を取得する。
【００８０】
図７に示すように、出金処理では、第１収納部３０に収納された紙幣束Ｂは、搬送部４０によって識別部５０に搬送され、識別部５０において紙幣束Ｂの紙幣束情報が取得される。識別部５０において取得された紙幣束情報は、制御部７０に送信される。
【００８１】
制御部７０は、識別部５０から受信した紙幣束情報に基づいて、識別部５０に搬送されてきた紙幣束Ｂが出金すべきではない紙幣束（出金リジェクト紙幣束）に該当するか否かを判定する。例えば、制御部７０は、識別部５０に搬送されてきた紙幣束Ｂに含まれる紙幣が偽券，損券，金種異常券（出金すべき金種とは異なる金種の紙幣）のうち少なくとも１つに該当することが紙幣束情報（詳しくは紙幣情報）に含まれる識別処理の結果に示されている場合、または、識別部５０に搬送されてきた紙幣束Ｂの搬送状態が異常であることが紙幣束情報に含まれる搬送状態識別処理の結果に示されている場合に、その紙幣束Ｂが出金リジェクト紙幣束に該当すると判定する。
【００８２】
次に、制御部７０は、識別部５０に搬送されてきた紙幣束Ｂが出金リジェクト紙幣束に該当すると判定すると、図７の破線の矢印で示すように、識別部５０に搬送されてきた紙幣束Ｂが第２収納部６０に搬送されるように搬送部４０を制御する。また、制御部７０は、識別部５０に搬送されてきた紙幣束Ｂが出金リジェクト紙幣束に該当しないと判定すると、図７の実線の矢印で示すように、識別部５０に搬送されてきた紙幣束Ｂが出金口２１に搬送されるように搬送部４０を制御する。
【００８３】
また、制御部７０は、出金処理において、紙幣束Ｂを出金する顧客の顧客情報を情報端末１００から取得する。具体的には、紙幣処理装置１０から紙幣束Ｂを出金しようとする顧客は、情報端末１００の操作部２０１を操作して顧客情報（例えば顧客ＩＤ）を入力する。または、紙幣処理装置１０から紙幣束Ｂを出金しようとする顧客は、その顧客が所有するカードに記憶された顧客情報（例えば顧客ＩＤ）を情報端末１００の読取部２０２に読み取らせる。情報端末１００の端末制御部２００は、操作部２０１（または読取部２０２）において取得された顧客情報（出金しようとしている顧客の顧客情報）を記憶部２０３に記憶する。そして、端末制御部２００は、紙幣処理装置１０の制御部７０から顧客情報（出金しようとしている顧客の顧客情報）の送信要求を受信すると、その送信要求に応答して記憶部２０３に記憶された顧客情報を制御部７０に送信する。
【００８４】
次に、制御部７０は、出金処理において識別部５０によって取得された紙幣束Ｂの紙幣束情報とその紙幣束Ｂを出金した顧客の顧客情報とを対応付けて記憶する。
【００８５】
このように、出金処理において、第１収納部３０に収納された紙幣束Ｂが識別部５０を通過して出金口２１または第２収納部６０に搬送されることにより、識別部５０において出金口２１または第２収納部６０に搬送される紙幣束Ｂの紙幣束情報を取得することができる。これにより、出金処理において出金口２１に搬送されて出金口２１から払い出される紙幣束Ｂを管理することができるとともに、出金処理において第２収納部６０に搬送されて出金口２１から払い出されない紙幣束Ｂを管理することができる。
【００８６】
また、出金処理において識別部５０によって取得された紙幣束Ｂの紙幣束情報と紙幣束Ｂを出金した顧客の顧客情報とを対応付けて記憶することにより、出金処理において払い出された紙幣束Ｂとその紙幣束Ｂを出金した顧客とを紐付けることができる。これにより、出金処理においてどの顧客にどのような紙幣束Ｂを払い出したのかを管理することができる。
【００８７】
〔回収処理〕
次に、図８を参照して、紙幣処理装置１０の回収処理について説明する。回収処理は、第１収納部３０から紙幣束Ｂを回収する処理のことである。
【００８８】
制御部７０は、回収処理において、第１収納部３０に収納された紙幣束Ｂが識別部５０を通過して第２収納部６０に搬送されるように搬送部４０を制御する。識別部５０は、回収処理において識別部５０を通過する紙幣束Ｂの紙幣束情報を取得する。
【００８９】
図８に示すように、回収処理では、第１収納部３０に収納された紙幣束Ｂは、搬送部４０によって識別部５０に搬送され、識別部５０において紙幣束Ｂの紙幣束情報が取得される。識別部５０において取得された紙幣束情報は、制御部７０に送信される。次に、制御部７０は、識別部５０において紙幣束情報が取得された紙幣束Ｂが第２収納部６０に搬送されるように搬送部４０を制御する。
【００９０】
また、制御部７０は、回収処理において識別部５０によって取得された紙幣束Ｂの紙幣束情報とその紙幣束Ｂを搬送した第２収納部６０に割り当てられたＩＤとを対応付けて記憶する。
【００９１】
このように、回収処理において、第１収納部３０に収納された紙幣束Ｂが識別部５０を通過して第２収納部６０に搬送されることにより、識別部５０において第２収納部６０に搬送される紙幣束Ｂの紙幣束情報を取得することができる。これにより、回収処理において第２収納部６０に搬送されて第２収納部６０に回収される紙幣束Ｂを管理することができる。
【００９２】
また、回収処理において識別部５０によって取得された紙幣束Ｂの紙幣束情報と紙幣束Ｂを搬送した第２収納部６０に割り当てられたＩＤとを対応付けて記憶することにより、回収処理において回収された紙幣束Ｂとその紙幣束Ｂを収納する第２収納部６０とを紐付けることができる。これにより、回収処理においてどの第２収納部６０にどのような紙幣束Ｂが回収されたのかを管理することができる。
【００９３】
なお、制御部７０は、回収処理において識別部５０によって取得された紙幣束Ｂの紙幣束情報とその紙幣束が収納されていた第１収納部３０に割り当てられたＩＤとを対応付けて記憶するように構成されていてもよい。このような構成により、回収処理において回収された紙幣束Ｂとその紙幣束Ｂが収容されていた第１収納部３０とを紐付けることができる。これにより、回収処理においてどの第１収納部３０からどのような紙幣束Ｂが回収されたのかを管理することができる。
【００９４】
〔補充処理〕
次に，図９を参照して、紙幣処理装置１０の補充処理について説明する。補充処理は、第１収納部３０に紙幣束Ｂを補充する処理のことである。
【００９５】
制御部７０は、補充処理において、第２収納部６０に収納された紙幣束Ｂが識別部５０を通過して第１収納部３０に搬送されるように搬送部４０を制御する。識別部５０は、補充処理において識別部５０を通過する紙幣束Ｂの紙幣束情報を取得する。
【００９６】
図９に示すように、補充処理では、第２収納部６０に収納された紙幣束Ｂは、搬送部４０によって識別部５０に搬送され、識別部５０において紙幣束Ｂの紙幣束情報が取得される。識別部５０において取得された紙幣束情報は、制御部７０に送信される。次に、制御部７０は、識別部５０において紙幣束情報が取得された紙幣束Ｂが第１収納部３０に搬送されるように搬送部４０を制御する。
【００９７】
また、制御部７０は、補充処理において識別部５０によって取得された紙幣束Ｂの紙幣束情報とその紙幣束を搬送した第１収納部３０に割り当てられたＩＤとを対応付けて記憶する。
【００９８】
このように、補充処理において、第２収納部６０に収納された紙幣束Ｂが識別部５０を通過して第１収納部３０に搬送されることにより、識別部５０において第１収納部３０に搬送される紙幣束Ｂの紙幣束情報を取得することができる。これにより、補充処理において第１収納部３０に搬送されて第１収納部３０に補充された紙幣束Ｂを管理することができる。
【００９９】
また、補充処理において識別部５０によって取得された紙幣束Ｂの紙幣束情報と紙幣束Ｂを搬送した第１収納部３０に割り当てられたＩＤとを対応付けて記憶することにより、補充処理において補充された紙幣束Ｂとその紙幣束Ｂを収納する第１収納部３０とを紐付けることができる。これにより、補充処理においてどの第１収納部３０にどのような紙幣束Ｂが補充されたのかを管理することができる。
【０１００】
〔精査処理〕
次に，図１０を参照して、紙幣処理装置１０の精査処理について説明する。精査処理は、第１収納部３０に収納された紙幣束Ｂを精査する処理（具体的には、紙幣束Ｂの数量や種類などを確定する処理）のことである。
【０１０１】
制御部７０は、精査処理において、第１収納部３０に収納された全ての紙幣束Ｂが識別部５０を通過して第２収納部６０に搬送された後に、第２収納部６０に収納された紙幣束Ｂが識別部５０を通過して第１収納部３０に搬送されるように搬送部４０を制御する。識別部５０は、精査処理において識別部５０を通過する紙幣束Ｂの紙幣束情報を取得する。
【０１０２】
精査処理では、図１０の実線の矢印で示すように、第１収納部３０に収納された全ての紙幣束Ｂは、１つずつ順番に、搬送部４０によって識別部５０に搬送された後に第２収納部６０に搬送される。次に、図１０の破線の矢印で示すように、第２収納部６０に収納された紙幣束Ｂは、搬送部４０によって識別部５０に搬送された後に第１収納部３０に搬送される。識別部５０は、第１収納部３０から紙幣束Ｂが搬送されてきた場合および第２収納部６０から紙幣束Ｂが搬送されてきた場合のうち少なくとも一方において紙幣束Ｂの紙幣束情報を取得する。識別部５０において取得された紙幣束情報は、制御部７０に送信される。
【０１０３】
また、制御部７０は、精査処理において識別部５０によって取得された紙幣束Ｂの紙幣束情報とその紙幣束Ｂを搬送した第１収納部３０に割り当てられたＩＤとを対応付けて記憶する。
【０１０４】
このように、精査処理において、第１収納部３０に収納された全ての紙幣束Ｂが識別部５０を通過して第２収納部６０に搬送された後に、第２収納部６０に収納された紙幣束Ｂが識別部５０を通過して第１収納部３０に搬送されることにより、識別部５０において第１収納部３０に搬送される紙幣束Ｂ（精査済みの紙幣束Ｂ）の紙幣束情報を取得することができる。これにより、精査処理において第１収納部３０に搬送されて第１収納部３０に収納された紙幣束Ｂ（精査済みの紙幣束Ｂ）を管理することができる。具体的には、第１収納部３０に収納された紙幣束Ｂの数量や種類などを確定させて管理することができる。
【０１０５】
また、精査処理において識別部５０によって取得された紙幣束Ｂの紙幣束情報と紙幣束Ｂを搬送した第１収納部３０に割り当てられたＩＤとを対応付けて記憶することにより、精査処理において精査された紙幣束Ｂとその紙幣束Ｂを収納する第１収納部３０とを紐付けることができる。これにより、どの第１収納部３０にどのような紙幣束Ｂ（精査済みの紙幣束Ｂ）が収納されているのかを管理することができる。
【０１０６】
なお、精査処理は、例えば、出金処理や補充処理の途中にエラーが発生して処理が停止した場合に行われる。具体的には、第１収納部３０に収納された紙幣束Ｂの収納順序が制御部７０に記憶されている場合、制御部７０は、出金処理や補充処理の途中にエラーが発生して処理が停止すると、第１収納部３０に収納されている紙幣束Ｂ（処理すべき紙幣束Ｂの一部）が識別部５０を通過して第２収納部６０に搬送されるように搬送部４０を制御してもよい。このような制御により、第１収納部３０に収納されている紙幣束Ｂ（処理すべき紙幣束Ｂの一部）の精査を行うことができる。
【０１０７】
〔実施形態による効果〕
以上のように、この実施形態による紙幣処理装置１０では、第２収納部６０を設けることにより、第２収納部６０に紙幣束Ｂを収納させつつ出金口２１と識別部５０との間において紙幣束Ｂを搬送させることができる。これにより、搬送路４１（特に出金口２１と識別部５０との間の搬送路）における紙幣束Ｂの搬送の自由度を向上させることができる。その結果、紙幣処理装置１０の機能を拡張させることができる。
【０１０８】
具体的には、紙幣処理装置１０では、紙幣処理装置１０から紙幣束Ｂを払い出す出金処理において第１収納部３０から識別部５０を通過して出金口２１に紙幣束Ｂを搬送することができる。そして、識別部５０を通過した紙幣束Ｂが出金すべきではない紙幣束Ｂ（出金リジェクト紙幣束）に該当する場合に、識別部５０を通過した出金リジェクト紙幣束を第２収納部６０に収納することができる。なお、紙幣処理装置１０では、第２収納部６０に紙幣束Ｂを収納させつつ出金口２１と識別部５０との間において紙幣束Ｂを搬送させることができる。したがって、出金処理において出金リジェクト紙幣束の払い出しを禁止しつつ紙幣束の払い出しを継続させるという機能を実現することができる。
【０１０９】
また、紙幣処理装置１０に制御部７０を設けることにより、搬送部４０による紙幣束Ｂの搬送を任意に制御することができる。
【０１１０】
なお、特許文献１の紙幣処理装置において回収処理（紙幣束収納部から紙幣束を回収する処理）を行う場合、紙幣束収納部から搬送路と昇降通路とを順に通過して出金口に搬送された紙幣束を１つずつ手作業で回収することになる。また、特許文献１の紙幣処理装置において補充処理（紙幣束収納部に紙幣束を補充する処理）を行う場合、出金口に紙幣束を１つずつ手作業で投入することになる。このように、特許文献１の紙幣処理装置では、回収処理および補充処理において紙幣束を１つずつ手作業で処理することになるので、作業者の負担を軽減することが困難である。
【０１１１】
一方、この実施形態による紙幣処理装置１０では、回収処理および補充処理において紙幣束Ｂを１つずつ手作業で処理しなくてもよい。そのため、回収処理および補充処理において作業者の負担を軽減することができる。
【０１１２】
また、紙幣処理装置１０では、第１収納部３０が紙幣処理装置１０に着脱可能に構成されている。そのため、第１収納部３０を紙幣処理装置１０から取り外すことにより、第１収納部３０に収納されている紙幣束Ｂを回収することができる。また、紙幣束Ｂを収納している第１収納部３０を紙幣処理装置１０に装着することにより、紙幣処理装置１０に紙幣束Ｂを補充することができる。
【０１１３】
また、紙幣処理装置１０では、第２収納部６０が紙幣処理装置１０に着脱可能に構成されている。そのため、第２収納部６０を紙幣処理装置１０から取り外すことにより、第２収納部６０に収納されている紙幣束Ｂを回収することができる。また、紙幣束Ｂを収納している第２収納部６０を紙幣処理装置１０に装着することにより、紙幣処理装置１０に紙幣束Ｂを補充することができる。
【０１１４】
また、第２収納部６０の構成を第１収納部３０の構成と共通化することにより、第２収納部６０の製造コストを低減することができる。
【０１１５】
また、紙幣情報が紙幣束Ｂに含まれる紙幣の記番号に関する情報（具体的には識別部５０の記番号読取処理によって取得された記番号読取処理の結果）を含んでいる場合、紙幣束Ｂに含まれる紙幣の記番号（この例では紙幣束Ｂの下面を構成する紙幣の記番号）に基づいて紙幣束Ｂを紙幣束単位で管理することができる。すなわち、紙幣束Ｂに含まれる紙幣の記番号を紙幣束Ｂの固有の管理番号として用いることで紙幣束Ｂを紙幣束単位で管理することができる。
【０１１６】
また、出金口ステージ２２を上下方向に昇降可能に構成することにより、搬送路４１と出金口ステージ２２との間の高低差を調節することができる。これにより、搬送路４１から出金口ステージ２２の載置面（または出金口ステージ２２に載置された紙幣束Ｂの上面）への紙幣束Ｂの移動を円滑にすることができ、出金口ステージ２２における紙幣束Ｂの集積状態を良好にすることができる。
【０１１７】
（紙幣処理装置の変形例１）
図１１に示すように、紙幣処理装置１０において、搬送路４１は、出金口ステージ２２の上方まで延出するように構成されていてもよい。また、出金口ステージ２２と対向する押圧検知板４８が設けられていてもよい。この例では、制御部７０は、紙幣処理装置１０において出金口補充処理が行われるように、搬送部４０による紙幣束Ｂの搬送を制御してもよい。
【０１１８】
〔出金口補充処理〕
次に、図１２を参照して、紙幣処理装置１０の出金口補充処理について説明する。出金口補充処理は、出金口２１から第２収納部６０に紙幣束Ｂを補充する処理のことである。
【０１１９】
制御部７０は、出金口補充処理において、出金口２１に投入された紙幣束Ｂが識別部５０を通過して第２収納部６０に収納されるように搬送部４０を制御する。識別部５０は、出金口補充処理において識別部５０を通過する紙幣束Ｂの紙幣束情報を取得する。
【０１２０】
図１２に示すように、出金口補充処理では、出金口２１に投入された紙幣束Ｂは、搬送部４０によって識別部５０に搬送され、識別部５０において紙幣束Ｂの紙幣束情報が取得される。識別部５０において取得された紙幣束情報は、制御部７０に送信される。次に、制御部７０は、識別部５０において紙幣束情報が取得された紙幣束Ｂが第２収納部６０に搬送されるように搬送部４０を制御する。
【０１２１】
また、制御部７０は、出金口補充処理において識別部５０によって取得された紙幣束Ｂの紙幣束情報とその紙幣束Ｂを搬送した第２収納部６０に割り当てられたＩＤとを対応付けて記憶する。
【０１２２】
このように、出金口補充処理において、出金口２１に投入された紙幣束Ｂが識別部５０を通過して第２収納部６０に搬送されることにより、識別部５０において第２収納部６０に搬送される紙幣束Ｂの紙幣束情報を取得することができる。これにより、出金口補充処理において第２収納部６０に搬送されて第２収納部６０に補充された紙幣束Ｂを管理することができる。
【０１２３】
また、出金口補充処理において識別部５０によって取得された紙幣束Ｂの紙幣束情報と紙幣束Ｂを搬送した第２収納部６０に割り当てられたＩＤとを対応付けて記憶することにより、出金口補充処理において補充された紙幣束Ｂとその紙幣束Ｂを収納する第２収納部６０とを紐付けることができる。これにより、出金口補充処理においてどの第２収納部６０にどのような紙幣束Ｂが補充されたのかを管理することができる。
【０１２４】
〔出金口補充処理の変形例〕
なお、出金口補充処理は、出金口２１から第１収納部３０に紙幣束Ｂを補充する処理であってもよい。具体的には、制御部７０は、出金口補充処理において、出金口２１に投入された紙幣束Ｂが識別部５０を通過して第１収納部３０に収納されるように搬送部４０を制御するように構成されていてもよい。
【０１２５】
また、制御部７０は、出金口補充処理において識別部５０によって取得された紙幣束Ｂの紙幣束情報とその紙幣束Ｂを搬送した第１収納部３０に割り当てられたＩＤとを対応付けて記憶するように構成されていてもよい。
【０１２６】
このように、出金口補充処理において、出金口２１に投入された紙幣束Ｂが識別部５０を通過して第１収納部３０に搬送されることにより、識別部５０において第１収納部３０に搬送される紙幣束Ｂの紙幣束情報を取得することができる。これにより、出金口補充処理において第１収納部３０に搬送されて第１収納部３０に補充された紙幣束Ｂを管理することができる。
【０１２７】
また、出金口補充処理において識別部５０によって取得された紙幣束Ｂの紙幣束情報と紙幣束Ｂを搬送した第１収納部３０に割り当てられたＩＤとを対応付けて記憶することにより、出金口補充処理において補充された紙幣束Ｂとその紙幣束Ｂを収納する第１収納部３０とを紐付けることができる。これにより、出金口補充処理においてどの第１収納部３０にどのような紙幣束Ｂが補充されたのかを管理することができる。
【０１２８】
（紙幣処理装置の変形例２）
図１３に示すように、紙幣束Ｂの結束帯Ｗには、紙幣束Ｂを管理するための情報（管理情報）が読み取り可能に付されていてもよい。管理情報は、例えば、紙幣束Ｂを構成する複数の紙幣の記番号ＳＮに関する情報（紙幣記番号情報）を含んでいる。この例では、紙幣束Ｂの結束帯Ｗには、紙幣束Ｂの管理情報を示す管理コードＣが付されている。管理コードＣは、ＱＲコード（登録商標）などの二次元コードによって構成されている。なお、管理コードＣは、バーコードなどの一次元コードによって構成されていてもよい。また、紙幣束Ｂの結束帯Ｗには、管理情報を示す文字列（読み取り可能な文字列）が付されていてもよい。このような文字列は、例えば、紙幣束Ｂに含まれる紙幣の記番号や紙幣束Ｂが生成された日時などを示していてもよい。
【０１２９】
紙幣束情報は、紙幣束Ｂの結束帯Ｗから読み取られた管理情報を含んでいてもよい。具体的には、識別部５０は、紙幣束Ｂの結束帯Ｗに付された管理情報を読み取るための処理（情報読取処理）を行うように構成されていてもよい。紙幣束情報は、識別部５０（具体的には識別部５０の情報読取処理）によって取得された管理情報を含んでいてもよい。
【０１３０】
なお、結束帯Ｗに読み取り可能に付された管理情報の一例である管理コードＣは、次のようにして紙幣束Ｂの結束帯Ｗに付されていてもよい。例えば、紙幣束Ｂを生成する紙幣結束装置（図示を省略）は、紙幣束Ｂを生成するために準備された複数の紙幣から記番号ＳＮを読み取り、その後、それらの複数の紙幣を結束帯Ｗで結束して紙幣束Ｂを生成し、その紙幣束Ｂを構成する複数の紙幣から読み取られた複数の記番号に基づいて紙幣記番号情報を含む管理情報を生成し、その管理情報を示す管理コードＣを紙幣束Ｂの結束帯Ｗに印字する。これにより、紙幣記番号情報を含む管理情報を示した管理コードＣを紙幣束Ｂの結束帯Ｗに付すことができる。
【０１３１】
以上のように、紙幣束の結束帯に付された管理情報を読み取ることにより、管理情報に基づいて紙幣束を管理することができる。
【０１３２】
具体的には、管理情報に紙幣束Ｂを構成する複数の紙幣の記番号ＳＮに関する紙幣記番号情報が含まれている場合、紙幣束Ｂを構成する複数の紙幣の記番号ＳＮに基づいて紙幣束Ｂを紙幣単位で管理することができる。例えば、出金処理においてどの顧客にどの紙幣を払い出したのかを管理することができる。これにより、現金の取り扱いを厳格にすることができる。
【０１３３】
なお、紙幣束Ｂには、固有の管理番号が割り当てられていてもよい。例えば、紙幣束Ｂに含まれる紙幣の記番号が管理番号として割り当てられていてもよい。そして、管理情報は、紙幣束Ｂに割り当てられた管理番号に関する情報（管理番号情報）を含んでいてもよい。この場合、紙幣束Ｂの管理番号に基づいて紙幣束を紙幣束単位で管理することができる。
【０１３４】
（紙幣処理装置の変形例３）
なお、識別部５０が情報読取処理（紙幣束Ｂの結束帯Ｗに付された管理情報を読み取るための処理）を行うように構成されている場合、識別部５０において紙幣束Ｂから管理情報を正常に読み取ることができないと、紙幣処理装置１０において行われる処理に支障を来すおそれがある。
【０１３５】
例えば、紙幣処理装置１０内に収納されている紙幣束Ｂの管理情報（例えば紙幣記番号情報）が紙幣処理装置１０（具体的には制御部７０）に記憶されており、識別部５０において紙幣束Ｂから読み取られた管理情報が紙幣処理装置１０から消去されるという運用が出金処理において行われる場合がある。また、識別部５０において紙幣束Ｂから読み取られた管理情報を用いて、その紙幣束Ｂに含まれる紙幣の記番号を特定して出力するという運用が出金処理において行われる場合がある。このような運用では、識別部５０において紙幣束Ｂから管理情報が正常に読み取られたことを条件として、出金処理を完了させることができるが、識別部５０において管理情報が正常に読み取られていない紙幣束Ｂが出金口２１に１束でもあると、紙幣処理装置１０において取引を完了させることができず、出金口２１に搬送された全ての紙幣束Ｂを別管理することが必要となる。この場合、紙幣処理装置１０の操作者（係員など）は、紙幣処理装置１０を休止させて出金口２１から紙幣束Ｂを取り除いた後に、出金処理が再度行われるように紙幣処理装置１０を操作することになり、操作者の負担となる。また、識別部５０において管理情報が正常に読み取られていない紙幣束Ｂを出金リジェクト紙幣束とみなして第２収納部６０に収納してもよいが、第２収納部６０が満杯状態となる可能性が高くなるので、この場合も操作者の負担が増える。
【０１３６】
そこで、紙幣束Ｂの管理情報が読み取り不良となる可能性を低減するために、紙幣処理装置１０は、次のように構成されていてもよい。以下、紙幣処理装置の変形例３について説明する。
【０１３７】
紙幣処理装置の変形例３では、紙幣処理装置の変形例２と同様に、紙幣束Ｂの結束帯Ｗには、紙幣束Ｂを管理するための情報（管理情報）が読み取り可能に付されている。管理情報は、例えば、紙幣束Ｂを構成する複数の紙幣の記番号ＳＮに関する情報（紙幣記番号情報）を含んでいる。具体的には、図１３に示すように、紙幣束Ｂの結束帯Ｗには、紙幣束Ｂの管理情報を示す管理コードＣが付されている。管理コードＣは、例えば、二次元コードであり、紙幣束Ｂを構成する複数の紙幣の記番号ＳＮがコード化されて印刷されている。また、管理情報は、例えば、紙幣束Ｂを構成する複数の紙幣の記番号ＳＮに関する情報（紙幣記番号情報）に関連付けられた固有の情報であってもよい。具体的には、管理情報は、紙幣束Ｂを特定する所定桁の数字や文字の情報であってもよい。
【０１３８】
また、紙幣処理装置の変形例３では、制御部７０は、上述の制御部７０による動作に加えて、紙幣処理装置１０の各種処理（具体的には出金処理や回収処理や補充処理や精査処理や出金口補充処理など）において次の動作を行うように構成されている。すなわち、制御部７０は、識別部５０において紙幣束Ｂから読み取られた管理情報を解析し、識別部５０において紙幣束Ｂから管理情報が正常に読み取られているか否かを判定する。そして、制御部７０は、識別部５０において紙幣束Ｂから管理情報が正常に読み取られていない場合に、その紙幣束Ｂ（識別部５０において管理情報が正常に読み取られていない紙幣束Ｂ）が識別部５０に再搬送されるように搬送部４０を制御する。
【０１３９】
また、紙幣処理装置の変形例３では、識別部５０は、紙幣束Ｂの結束帯Ｗに付された管理情報を読み取るための処理（情報読取処理）を行う。すなわち、識別部５０において取得される紙幣束情報には、識別部５０（具体的には識別部５０の情報読取処理）によって紙幣束Ｂから読み取られた管理情報が含まれている。また、識別部５０は、識別部５０に再搬送されてきた紙幣束Ｂに対して情報読取処理を行う。識別部５０において読み取られた管理情報は、制御部７０に送信される。
【０１４０】
なお、紙幣処理装置の変形例３のその他の構成は、図２に示した紙幣処理装置１０の構成や図１１に示した紙幣処理装置の変形例１の構成と同様となっている。
【０１４１】
〔動作〕
次に、図１４を参照して、紙幣処理装置の変形例３における制御部７０および識別部５０の動作について説明する。制御部７０および識別部５０は、紙幣処理装置１０の各種処理（具体的には出金処理や回収処理や補充処理や精査処理や出金口補充処理など）において次の動作を紙幣束毎に行う。
【０１４２】
〈ステップＳ１１〉
まず、制御部７０は、所定の搬送元（例えば出金処理の場合は第１収納部３０）から識別部５０へ向けて紙幣束Ｂが搬送されるように搬送部４０を制御する。
【０１４３】
〈ステップＳ１２〉
次に、識別部５０は、識別部５０に搬送されてきた紙幣束Ｂに対して情報読取処理を含む所定の処理を行う。そして、識別部５０は、情報読取処理によって読み取られた管理情報を含む紙幣束情報を制御部７０に送信する。具体的には、識別部５０は、紙幣束Ｂの結束帯Ｗに印字された管理コードＣ（例えば二次元コード）を撮像して管理コードＣの撮像画像を取得する処理（情報読取処理の一例）を行い、その管理コードＣの撮像画像（紙幣束Ｂから読み取られた管理情報の一例）を含む紙幣束情報を制御部７０に搬送する。なお、この紙幣束情報には、管理情報の他に、紙幣束Ｂを構成する紙幣に関する情報（識別部５０における識別処理の結果や撮像処理の結果や記番号読取処理の結果などを含む情報）や、識別部５０における搬送状態識別処理の結果や、紙幣束Ｂの計数結果などが含まれていてもよい。
【０１４４】
〈ステップＳ１３〉
次に、制御部７０は、識別部５０によって取得された管理情報を解析し、識別部５０において紙幣束Ｂから管理情報が正常に読み取られているか否かを判定する。具体的には、管理コードＣが符号化された情報（管理情報）である場合、制御部７０は、識別部５０において取得された管理コードＣの撮像画像に対して復号化処理（管理情報の解析の一例）を行う。そして、制御部７０は、管理コードＣの撮像画像から管理情報を正常に復号化することができる場合に、識別部５０において紙幣束Ｂから管理情報が正常に読み取られていると判定し、管理コードＣの撮像画像から管理情報を正常に復号化することができない場合に、識別部５０において紙幣束Ｂから管理情報が正常に読み取られていないと判定する。識別部５０において紙幣束Ｂから管理情報が正常に読み取られていない場合には、ステップＳ１４へ進み、そうでない場合には、ステップＳ１６へ進む。
【０１４５】
〈ステップＳ１４〉
識別部５０において紙幣束Ｂから管理情報が正常に読み取られていない場合、制御部７０は、その紙幣束Ｂ（識別部５０において管理情報が正常に読み取られていない紙幣束Ｂ）が識別部５０に再搬送されるように搬送部４０を制御する。
【０１４６】
〈ステップＳ１５〉
次に、識別部５０は、識別部５０に再搬送されてきた紙幣束Ｂに対して情報読取処理を再度行う。識別部５０において再度取得された管理情報は、制御部７０に送信される。次に、ステップＳ１３へ進む。
【０１４７】
〈ステップＳ１６〉
一方、識別部５０において紙幣束Ｂから管理情報が正常に読み取られている場合、制御部７０は、その紙幣束（識別部５０において管理情報が正常に読み取られている紙幣束Ｂ）が所定の搬送先（例えば出金処理の場合は出金口２１または第２収納部６０）に搬送されるように搬送部４０を制御する。
【０１４８】
〔紙幣束の流れ〕
次に、図１５を参照して、紙幣処理装置の変形例３における紙幣束の流れについて説明する。なお、図１５では、出金処理の場合を例に挙げている。
【０１４９】
出金処理では、第１収納部３０に収納された紙幣束Ｂは、搬送部４０によって第１収納部３０から識別部５０へ向けて搬送され、第１収納部３０（搬送元）側から出金口２１（搬送先）側へ向けて識別部５０を通過して識別部５０の出金口２１側（図１５に示された位置）に到達する。識別部５０では、識別部５０を通過する紙幣束Ｂに対して所定の処理（情報読取処理を含む処理）が行われて紙幣束情報（紙幣束Ｂから読み取られた管理情報を含む情報）が取得される。識別部５０において取得された紙幣束情報は、制御部７０に送信される。制御部７０は、識別部５０において取得された紙幣束情報に含まれる管理情報（紙幣束Ｂから読み取られた管理情報）を解析し、識別部５０において紙幣束Ｂから管理情報が正常に読み取られているか否かを判定する。
【０１５０】
識別部５０において紙幣束Ｂから管理情報が正常に読み取られていると制御部７０において判定された場合、図１５の実線の矢印で示すように、識別部５０の出金口２１側に位置する紙幣束Ｂは、出金口２１（または第２収納部６０）へ向けて搬送される。
【０１５１】
一方、識別部５０において紙幣束Ｂから管理情報が正常に読み取られていないと制御部７０において判定された場合、識別部５０の出金口２１側に位置する紙幣束Ｂは、識別部５０に再搬送される。なお、搬送部４０は、第１収納部３０（搬送元）と出金口２１（搬送先）を両端部とする一本の搬送路４１で構成されており、この搬送路４１は、循環構造（環状）にはなっていない。よって、図１５の破線の矢印で示すように、識別部５０の出金口２１側に位置する紙幣束Ｂは、識別部５０へ向けて逆方向に搬送され、出金口２１（搬送先）側から第１収納部３０（搬送元）側へ向けて識別部５０を通過して識別部５０の第１収納部３０側に到達する。そして、識別部５０の第１収納部３０側に位置する紙幣束Ｂは、識別部５０へ向けて順方向に搬送され、第１収納部３０（搬送元）側から出金口２１（搬送先）側へ向けて識別部５０を再度通過する。すなわち、識別部５０において管理情報が正常に読み取られていない紙幣束Ｂは、一本の搬送路４１を往復移動して識別部５０を往復することになる。識別部５０では、識別部５０を再度通過する紙幣束Ｂに対して情報取得処理が行われて紙幣束Ｂから管理情報が読み取られる。なお、識別部５０は、双方向の搬送に対応したものであってもよい。すなわち、識別部５０は、識別部５０の出金口側２１に位置する紙幣束Ｂが識別部５０へ向けて逆方向に搬送されて出金口２１（搬送先）側から第１収納部３０（搬送元）側へ向けて識別部５０を通過するときに識別部５０において紙幣束Ｂから管理情報が読み取られるように構成されていてもよい。さらに、識別部５０は、識別部５０の第１収納部３０側に位置する紙幣束Ｂが識別部５０へ向けて順方向に搬送されて第１収納部３０（搬送元）側から出金口２１（搬送先）側へ向けて識別部５０を通過するときに識別部５０において紙幣束Ｂから管理情報が読み取られるように構成されていてもよい。このように、１回の往復移動の間に情報読取処理が２回行われてもよい。識別部５０において紙幣束Ｂから読み取られた管理情報は、制御部７０に送信される。制御部７０は、識別部５０において紙幣束Ｂから読み取られた管理情報を解析し、識別部５０において紙幣束Ｂから管理情報が正常に読み取られているか否かを判定する。
【０１５２】
〔紙幣処理装置の変形例３による効果〕
以上のように、識別部５０において管理情報が正常に読み取られていない紙幣束Ｂを識別部５０に再搬送することにより、識別部５０において情報読取処理（紙幣束Ｂから管理情報を読み取るための処理）を再度行うことができる。これにより、紙幣束Ｂの管理情報が読み取り不良となる可能性を低減することができる。
【０１５３】
〔エラー処理〕
なお、制御部７０は、識別部５０において紙幣束Ｂから管理情報が正常に読み取られていないと判定した回数（読取不良回数）を紙幣束毎に計数し、その回数が予め定められた上限回数（例えば２〜５回の任意の回数）に到達した場合に、予め定められたエラー処理を行うように構成されていてもよい。例えば、制御部７０は、エラー処理として、紙幣束Ｂから管理情報が正常に読み取られていないことを通知するための情報（読取不良通知情報）を出力する処理を行うように構成されていてもよい。具体的には、制御部７０は、読取不良通知情報を表示部２０４に出力して読取不良通知情報を表示部２０４に表示させるように構成されていてもよい。または、制御部７０は、エラー処理として、識別部５０において管理情報が正常に読み取られていないと判定した紙幣束Ｂが予め定められた搬送先（例えば出金処理の場合は第２収納部６０）に搬送されるように搬送部４０を制御する処理を行うように構成されていてもよい。
【０１５４】
〔情報読取処理の精度〕
また、識別部５０に再搬送された紙幣束Ｂに対して行われる情報読取処理（紙幣束Ｂから管理情報を読み取るための処理）の精度は、識別部５０においてその紙幣束Ｂに対して行われた第１回目の情報読取処理の精度よりも高くなっていてもよい。すなわち、図１４に示したステップＳ１５における情報読取処理の精度は、図１４に示したステップＳ１２における情報読取処理の精度よりも高くなっていてもよい。
【０１５５】
具体的には、制御部７０は、識別部５０に再搬送された紙幣束Ｂに対して情報読取処理が行われるときにその紙幣束Ｂが識別部５０を通過する速度（再通過速度）が、識別部５０においてその紙幣束Ｂに対して第１回目の情報読取処理が行われるときにその紙幣束Ｂが識別部５０を通過する速度（初期通過速度）よりも遅くなるように、搬送部４０を制御するように構成されていてもよい。なお、識別部５０では、紙幣束Ｂが識別部５０を通過する速度が遅くなるほど、識別部５０において紙幣束Ｂに対する情報読取処理が正確に行われて情報読取処理の精度が高くなる傾向にある。したがって、再通過速度が初期通過速度よりも遅くなるように搬送部４０を制御することにより、識別部５０に再搬送された紙幣束Ｂに対して行われる情報読取処理の精度を、識別部５０においてその紙幣束Ｂに対して行われた第１回目の情報読取処理の精度よりも高くすることができる。
【０１５６】
このように、識別部５０に再搬送された紙幣束Ｂに対して行われる情報読取処理の精度を高くすることにより、紙幣束Ｂの管理情報が読み取り不良となる可能性をさらに低減することができる。
【０１５７】
（その他の実施形態）
以上の説明において、制御部７０は、単一の回路チップ（例えばＣＰＵやメモリを備えた集積回路）によって構成されていてもよいし、互いに通信を行う複数の回路チップによって構成されていてもよい。また、制御部７０を構成する部品は、筐体２０内に設けられていてもよいし、筐体２０外（例えば情報端末１００）に設けられていてもよいし、筐体２０内と筐体２０外とに分散して設けられていてもよい。
【０１５８】
また、以上の実施形態や変形例を適宜組み合わせて実施してもよい。以上の実施形態や変形例は、本質的に好ましい例示であって、ここに開示する技術、その適用物、あるいはその用途の範囲を制限することを意図するものではない。
【産業上の利用可能性】
【０１５９】
以上説明したように、ここに開示する技術は、紙幣処理装置として有用である。
【符号の説明】
【０１６０】
１０        紙幣処理装置
２０        筐体
２１        出金口
２２        出金口ステージ
３０        第１収納部
４０        搬送部
４１        搬送路
５０        識別部
６０        第２収納部
７０        制御部
Ｂ          紙幣束
Ｗ          結束帯
Ｃ          管理コード
【図１】
2018045677.tif 000003
【図２】
2018045677.tif 000004
【図３】
2018045677.tif 000005
【図４】
2018045677.tif 000006
【図５】
2018045677.tif 000007
【図６】
2018045677.tif 000008
【図７】
2018045677.tif 000009
【図８】
2018045677.tif 000010
【図９】
2018045677.tif 000011
【図１０】
2018045677.tif 000012
【図１１】
2018045677.tif 000013
【図１２】
2018045677.tif 000014
【図１３】
2018045677.tif 000015
【図１４】
2018045677.tif 000016
【図１５】
2018045677.tif 000017